(57)【要約】【課題】金属や硬質の樹脂から成る従来のリングは、コスト高であったり、物品の着脱を行いにくいものがあり、物品とともに収納した際に邪魔になることがあるという不具合があった。【解決手段】柔軟性を有する樹脂製の線材から成り、少なくとも両端部が重合していると共に、重合部分に互いに係脱可能な突部１と嵌合部２を設けたリングＲ１とし、低コストで得ることができると共に、物品の着脱も容易であり、物品とともに収納した際に邪魔になるようなことを解消した。【選択図】        図１
2004242889.tif 000002
【特許請求の範囲】
【請求項１】
柔軟性を有する樹脂製の線材から成り、少なくとも両端部が重合していると共に、重合部分に互いに係脱可能な突部と嵌合部を設けたことを特徴とするリング。
【請求項２】
少なくとも線材の両端部と両端部が重合する中間部の２箇所に、互いに係脱可能な突部と嵌合部を夫々設けたことを特徴とする請求項１に記載のリング。
【請求項３】
突部及び嵌合部が、線材の長手方向に沿って形成してあることを特徴とする請求項１又は２に記載のリング。
【発明の詳細な説明】
【０００１】
【発明の属する技術分野】
本発明は、キーホルダ等の連結具、又は紙類や各種小物類の連結具として用いられるリングに関するものである。
【０００２】
【従来の技術】
この種のリングとしては、例えば、半円形に成形した線材を２本用い、線材の一端部同士を軸により回動可能に連結すると共に、両線材の他端部に係合部を設けたものがあった。このリングは、両線材を互いに捩じる要領で係合部同士を係脱させることにより、物品の着脱を行うものとなっている。また、簡単な構造を有するリングとしては、二重リングがあった。この二重リングは、重合部分に隙間が生じるように端部を弾性変形させることにより、物品の着脱を行うものとなっている。そして、これらの従来のリングは、一般的に、金属や硬質の樹脂で成形されていた。
【０００３】
【発明が解決しようとする課題】
しかしながら、上記したような従来のリングにおいて、半円形の線材を用いたものは、２本の線材及び軸の合計３点の部品が必要であるうえに、軸による連結部や係合部などの加工が必要であり、その分コスト高になるという不具合があった。また、二重リングは、物品の着脱を行いにくいという不具合があった。そして、従来のリングは、いずれの場合も金属や硬質の樹脂で成形したものであったため、物品とともに収納した際に邪魔になることがあった。
【０００４】
【発明の目的】
本発明は、上記従来の状況に鑑みて成されたもので、低コストで得ることができると共に、物品とともに収納した際に邪魔になるようなことを解消することができるリングを提供することを目的としている。
【０００５】
【課題を解決するための手段】
本発明のリングは、請求項１として、柔軟性を有する樹脂製の線材から成り、少なくとも両端部が重合していると共に、重合部分に互いに係脱可能な突部と嵌合部を設けた構成とし、請求項２として、少なくとも線材の両端部と両端部が重合する中間部の２箇所に、互いに係脱可能な突部と嵌合部を夫々設けた構成とし、請求項３として、突部及び嵌合部が、線材の長手方向に沿って形成してある構成としており、上記構成をもって従来の課題を解決するための手段としている。
【０００６】
上記構成において、柔軟性を有する樹脂製の線材としては、予めリング形状に成形され且つ自在に変形可能であるものや、直線状や曲線状に成形され且つリング形状を形成し得るように自在に変形可能であるものとすることができ、その材料としては、例えば、ポリウレタン、ポリプロピレン、ポリエチレン及びポリアミド系樹脂などの各種樹脂を用いることができる。
【０００７】
【発明の効果】
本発明の請求項１のリングによれば、樹脂製の線材に突部と嵌合部を設けたものであるから、既知の樹脂成形法により一体成形することが可能であって、低コストで得ることができる。また、物品を着脱する際の突部と嵌合部の係脱を簡単に行うことができるうえに、連結具としての機能も充分に得ることができる。
【０００８】
さらに、線材が柔軟性を有する樹脂製であるから、自在に変形し得るものとなり、例えば当該リングをキーホルダとして用いた場合、鍵とともに衣類のポケットに入れてもリングが身体に違和感を与えるようなこともなく、物品とともに収納した際に当該リングが邪魔になるようなことを解消することができる。
【０００９】
本発明の請求項２のリングによれば、請求項１と同様の効果を得ることができるうえに、少なくとも２箇所の係合部分が得られることとなり、これにより係合強度の向上とともに連結具としての強度をより高めることができる。
【００１０】
本発明の請求項３のリングによれば、請求項１及び２と同様の効果を得ることができるうえに、線材の長手方向に沿って係合部分が得られることとなり、これにより係合強度のさらなる向上とともに連結具としての強度をより一層高めることができる。
【００１１】
【実施例】
図１は本発明のリングの一実施例を示す図である。図示のリングＲ１は、柔軟性を有する樹脂製の線材から成るもので、両端部が重合していると共に、重合部分に互いに係脱可能な突部１と孔状の嵌合部２が設けてある。つまり、線材の一端部に突部１が設けてあり、線材の他端部に嵌合部２が設けてある。
【００１２】
上記線材は、例えばポリウレタン製であって、断面が扁平な略円形を成すと共に、既知の樹脂成形法により突部１及び嵌合部２が一体成形してあり、この際、リング形状に成形してもよいし、直線状又は曲線状に成形してもよい。
【００１３】
突部１は、嵌合部２への係合を容易にするために、上側が曲面１ａになっていると共に、係合状態を維持し得るように、少なくとも両側に鉤部１ｂ，１ｂを有している。これに対して嵌合部２は、突部１に対応した形状であり、内部に鉤部１ｂを係止するための段部２ａを有している。
【００１４】
上記構成を備えたリングＲ１は、樹脂製の線材に突部１と嵌合部２を一体成形したものであるから、低コストで得ることが可能である。そして、嵌合部２に突部１を押し込むことにより双方が係合する。このとき、図１（ｂ）から明らかなように、突部１の上端部に対して、嵌合部２の突部側の開口が小さいものとなっているが、線材が柔軟性を有する樹脂製であることから、突部１及び嵌合部２は変形しつつ互いに係合する。
【００１５】
また、リングＲ１は、両端部を相反する方向に引くことにより、突部１及び嵌合部２が変形しつつ互いに離脱する。このように、当該リングＲ１は、物品を着脱する際の突部１と嵌合部２の係脱を簡単に行うことができると共に、連結具としての機能も充分に得ることができる。
【００１６】
さらに、線材が柔軟性を有する樹脂製であるから、図示の状態から自在に変形させることができ、例えば当該リングＲ１をキーホルダとして用いた場合、鍵とともに衣類のポケットに入れてもリングＲ１が身体に違和感を与えるようなこともなく、物品とともに収納した際に当該リングＲ１が邪魔になるようなことを解消し得るものとなる。
【００１７】
図２は本発明のリングの他の実施例を示す図である。なお、先の実施例と同一の構成部位は、同一符号を付して詳細な説明を省略する。
【００１８】
図示のリングＲ２は、ほぼ全体を二重に重合したものとなっていて、ほぼ中央に、線材の直径に相当する段差を得るための屈曲部３を設けることで、全体の高さを均一にしている。そして、線材の両端部と両端部が重合する中間部の２個所に、互いに係脱可能な突部１と孔状の嵌合部２が夫々設けてある。つまり、線材の両端部に、互いに逆向きの突部１，１が設けてあり、線材の中間部に、各突部１に対応する嵌合部２が設けてある。
【００１９】
上記のリングＲ２にあっても、先の実施例と同様の効果を得ることができ、しかも、２箇所において突部１と嵌合部２による係合部分が得られるので、係合強度が増すと共に、連結具としての強度がより高いものとなる。
【００２０】
図３は本発明のリングのさらに他の実施例を示す図である。なお、先の実施例と同一の構成部位は、同一符号を付して詳細な説明を省略する。
【００２１】
図示のリングＲ３は、図２に示すリングＲ２と同様に二重にしたものであると共に、線材の両端部と両端部が重合する中間部の２個所に、互いに係脱可能な突部１と孔状の嵌合部２が夫々設けてあり、さらに、これらの係合部分の中間に対して１８０度異なる位置に、図３（ｂ）にも示すように第３の突部１と孔状の嵌合部２が設けてある。
【００２２】
上記のリングＲ３にあっても、先の実施例と同様の効果を得ることができ、しかも、３箇所において突部１と嵌合部２による係合部分が得られるので、二重リングの形態をより確実に維持し得るものとなる。
【００２３】
図４は本発明のリングのさらに他の実施例を説明する図である。
図示のリングＲ４は、図２及び図３に示すリングＲ２，Ｒ３と同様の二重にしたものであって、線材の一端部から約半周の長さにわたって、下向きの突部１１が形成してあると共に、線材の他端部から約半周の長さにわたって、上向きの突部１１が形成してあり、線材の中間部に、両突部１１，１１と係脱可能な嵌合部１２，１２が形成してある。
【００２４】
すなわち、突部１１は、線材の長手方向に沿った突条を成しており、良好な係合状態を維持し得るように、とくに図４（ｃ）に示す如く先端部が膨出した断面形状を有している。これに対して、嵌合部１２は、線材の長手方向に沿った溝状を成しており、突部１１に対応した断面形状を有している。そして、これらの突部１１及び嵌合部１２は、弾性変形を伴って互いに係脱する。
【００２５】
上記のリングＲ４にあっても、先の実施例と同様の効果を得ることができ、しかも、線材の長手方向に沿った２箇所に突部１１と嵌合部１２による係合部分が得られるので、係合強度がより高くなり、二重リングの形態をより確実に維持し且つ強度を向上させるものとなる。
【００２６】
図５は本発明のリングのさらに他の実施例を説明する図である。
図示のリングＲ５は、図２〜図４に示すリングＲ２〜Ｒ４と同様の二重にしたものであり、線材の一端部から約一周の長さにわたって、突部２１が形成してあると共に、線材の他端部から約一周の長さにわたって、突部２１と係脱可能な嵌合部２２が形成してある。
【００２７】
すなわち、突部２１は、線材の長手方向に沿った突条を成しており、良好な係合状態を維持し得るように、とくに図５（ｃ）に示す如く先端部が膨出した断面形状を有している。これに対して、嵌合部２２は、線材の長手方向に沿った溝状を成しており、突部２１に対応した断面形状を有している。そして、これらの突部２１及び嵌合部２２は、弾性変形を伴って互いに係脱する。
【００２８】
上記のリングＲ５にあっても、先の実施例と同様の効果を得ることができ、しかも、当該リングＲ５のほぼ全周にわたって突部２１と嵌合部２２による係合部分が得られるので、係合強度がより高くなり、二重リングの形態をより確実に維持し且つ強度を向上させるものとなる。
【００２９】
なお、本発明に係るリングは、その構成が上記各実施例に限定されることはなく、柔軟性を有する各種樹脂を材料として用いることができ、突部と嵌合部の位置関係や、係合部分及び重合の数を適宜変更することもできる。また、線材の断面にあっても、例えば、円形や矩形のものであってもよい。さらに、線材の太さやリングの大きさは、自由に設定することができる。比較的小さいものの一例としては、線材の直径が２ｍｍ程度で、リングの直径が３０ｍｍ程度である。
【図面の簡単な説明】
【図１】本発明のリングの一実施例を示す平面図（ａ）、突部と嵌合部が離脱した状態の側面図（ｂ）及び突部と嵌合部が係合した状態の側面図（ｃ）である。
【図２】本発明のリングの他の実施例を示す平面図（ａ）及び側面図（ｂ）である。
【図３】本発明のリングのさらに他の実施例を示す平面図（ａ）及びＡ−Ａ線断面図（ｂ）である。
【図４】本発明のリングのさらに他の実施例を示す平面図（ａ）、側面図（ｂ）及びＢ−Ｂ線断面図（ｃ）である。
【図５】本発明のリングのさらに他の実施例を示す平面図（ａ）、側面図（ｂ）及びＣ−Ｃ線断面図（ｃ）である。
【符号の説明】
Ｒ１〜Ｒ４  リング
１          突部
２          嵌合部
１１        突部
１２        嵌合部
２１        突部
２２        嵌合部
【図１】
2004242889.tif 000003
【図２】
2004242889.tif 000004
【図３】
2004242889.tif 000005
【図４】
2004242889.tif 000006
【図５】
2004242889.tif 000007